(57)【要約】【課題】洗面所やトイレ等にて使用される手乾燥装置において、手に付着した水滴を吸引ノズルで吸引することにより水滴の飛散を防止するとともに、前記吸引ノズルの表面を清潔に保つことができる手乾燥装置を提供することを目的とする。【解決手段】本体内部に設けた吸引手段２と、前記吸引手段２に接続した風路３と、前記風路３に接続した吸引ノズル４と、前記吸引ノズル４の表面を包むロール状吸引口５を有し、前記吸引手段２を動作させ、吸引ノズル４より手の表面に付着した水滴を吸引することにより、水滴の飛散を抑制するともに、前記ロール状吸引口５を使用後に回転させて未使用の面を出すことにより、前記ロール状吸引口５の表面を清潔に保つことできる手乾燥装置１が得られる。【選択図】図１
2007229355.tif 000002
【特許請求の範囲】
【請求項１】
本体内部に設けた吸引手段と、前記吸引手段に接続した風路と、前記風路に接続した吸引ノズルと、前記吸引ノズル表面を包むロール状吸引口を設け、前記吸引ノズルより手の表面に付着した水滴を吸引することができるとともに、前記ロール状吸引口を使用後に回転させて未使用の面を出すことにより、前記吸引ノズルの表面を清潔に保つことができることを特徴とした手乾燥装置。
【請求項２】
ロール状吸引口の表面に、撥水処理を施した請求項１記載の手乾燥装置。
【請求項３】
ロール状吸引口の表面に、親水処理を施した請求項１記載の手乾燥装置。
【請求項４】
ロール状吸引口に、弾性材を使用した請求項１記載の手乾燥装置。
【請求項５】
ロール状吸引口の表面に、抗菌処理を施した請求項１記載の手乾燥装置。
【請求項６】
吸引ノズル近傍にオゾン発生装置を設けたことを特徴とした請求項１から５のいずれかに記載の手乾燥装置。
【請求項７】
吸引ノズル近傍にマイナスイオン発生装置を設けたことを特徴とした請求項１から５のいずれかに記載の手乾燥装置。
【請求項８】
風路内部にオゾン発生装置を設けたことを特徴とした請求項１から７のいずれかに記載の手乾燥装置。
【請求項９】
風路内部にマイナスイオン発生装置を設けたことを特徴とした請求項１から７のいずれかに記載の手乾燥装置。
【請求項１０】
風路内部に殺菌灯を設けたことを特徴とした請求項１から７のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、高圧空気流により手の水滴を飛ばし、乾燥させるものが知られていた（例えば特許文献１参照）。
【０００３】
以下、その手乾燥装置について図８を参照しながら説明する。
【０００４】
図に示すように、手乾燥装置１０１は本体内部に設けた高圧空気発生手段１０２と、前記高圧空気発生手段１０２に接続する排気ダクト１０３と、前記排気ダクト１０３に接続する吹出ノズル１０４と、前記吹出ノズル１０４下部に手挿入部１０５と、前記手挿入部１０５の下部に水受け部１０６を有し、前記高圧空気発生手段１０２を動作させることにより、吹出ノズル１０４より高圧空気を吹出し、手に付着した水滴を吹き飛ばし、手を乾燥させるものである。
【特許文献１】特開平６−６２９７７号公報（段落番号００３１、図１）
【発明の開示】
【発明が解決しようとする課題】
【０００５】
このような従来の手乾燥装置の方法では、高圧空気により吹き飛ばされた水滴が飛散して衣服や床に付着してしまうとともに、吹出しノズルや本体表面に手を洗った水が付着して不清潔になるという課題があった。
【０００６】
本発明は、上記従来の課題を解決するもので、手に付着した水滴を吸引することにより水滴の飛散を抑制するとともに、吸引ノズル表面を包むロール状吸引口を設け、前記ロール状吸引口を使用後に回転させて未使用の面を出すことにより、前記吸引ノズルの表面を清潔に保つことできる手乾燥装置を提供することを目的としている。
【課題を解決するための手段】
【０００７】
本発明の手乾燥装置は、上記目的を達成するために、本体内部に設けた吸引手段と、前記吸引手段に接続した風路と、前記風路に接続した吸引ノズルと、前記吸引ノズル表面を包むロール状吸引口を有する構成としたものである。
【０００８】
この手段により、吸引手段を動作させ、吸引ノズルより手の表面に付着した水滴を吸引することにより、水滴の飛散を抑制するともに、ロール状吸引口を使用後に回転させて未使用の面を出すことにより、前記吸引ノズルの表面を清潔に保つことできる手乾燥装置が得られる。
【０００９】
また、ロール状吸引口の表面に、撥水処理を施したものである。
【００１０】
この手段により、ロール状吸引口に水分が付着しにくくなり、人の手が触れる前記ロール状吸引口の表面を、清潔に保つことができる手乾燥装置が得られる。
【００１１】
また、ロール状吸引口の表面に、親水処理を施したものである。
【００１２】
この手段により、手に付着した水分を吸着し易くなり、効率的に乾燥させることができる手乾燥装置が得られる。
【００１３】
また、ロール状吸引口に、弾性材を使用したものである。
【００１４】
この手段により、手が吸引ノズルに密着し、手に付着した水分を吸着し易くなり、効率的に乾燥させることができる手乾燥装置が得られる。
【００１５】
また、ロール状吸引口の表面に、抗菌処理を施したものである。
【００１６】
この手段により、ロール状吸引口の表面に細菌が繁殖し難くなり、人の手が触れる前記ロール状吸引口の表面を清潔に保つことができる手乾燥装置が得られる。
【００１７】
また、吸引ノズル近傍にオゾン発生装置を設けたものである。
【００１８】
この手段により、オゾンを発生させ、細菌が繁殖し難くなり、吸引ノズルを清潔に保つことができる手乾燥装置が得られる。
【００１９】
また、吸引ノズル近傍にマイナスイオン発生装置を設けたものである。
【００２０】
この手段により、マイナスイオンを発生させ、細菌が繁殖し難くなり、吸引ノズルを清潔に保つことができる手乾燥装置が得られる。
【００２１】
また、風路内部にオゾン発生装置を設けたものである。
【００２２】
この手段により、オゾンを発生させることにより細菌が繁殖し難くなり、風路内部を清潔に保つことができる手乾燥装置が得られる。
【００２３】
また、風路内部にマイナスイオン発生装置を設けたものである。
【００２４】
この手段により、マイナスイオンを発生させることにより細菌が繁殖し難くなり、風路内部を清潔に保つことができる手乾燥装置が得られる。
【００２５】
また、風路内部に殺菌灯を設けたものである。
【００２６】
この手段により、紫外線を照射することにより細菌が繁殖し難くなり、風路内部を清潔に保つことができる手乾燥装置が得られる。
【発明の効果】
【００２７】
本発明によれば、本体内部に設けた吸引手段と、前記吸引手段に接続した風路と、前記風路に接続した吸引ノズルと、前記吸引ノズル表面を包むロール状吸引口を有し、前記吸引手段を動作させ、前記吸引ノズルより手の表面に付着した水滴を吸引することにより、水滴の飛散を抑制するともに、前記ロール状吸引口を使用後に回転させて未使用の面を出すことにより、人の手が触れる前記吸引ノズルの表面を清潔に保つことできる手乾燥装置を提供できる。
【００２８】
また、ロール状吸引口の表面に、撥水処理を施したものであり、ロール状吸引口に水分が付着しにくくなり、人の手が触れる前記ロール状吸引口の表面を、清潔に保つことができる手乾燥装置を提供できる。
【００２９】
また、ロール状吸引口の表面に、親水処理を施したものであり、手に付着した水分を吸着し易くなり、効率的に乾燥させることができる手乾燥装置を提供できる。
【００３０】
また、ロール状吸引口に、弾性材を使用したものであり、手が吸引ノズルに密着し、手に付着した水分を吸着し易くなり、効率的に乾燥させることができる手乾燥装置を提供できる。
【００３１】
また、ロール状吸引口の表面に、抗菌処理を施したものであり、前記ロール状吸引口の表面に細菌が繁殖し難くなり、人の手が触れる前記ロール状吸引口の表面を清潔に保つことができる手乾燥装置を提供できる。
【００３２】
また、吸引ノズル近傍にオゾン発生装置を設けたものであり、オゾンを発生させ、細菌が繁殖し難くなり、前記吸引ノズルを清潔に保つことができる手乾燥装置を提供できる。
【００３３】
また、吸引ノズル近傍にマイナスイオン発生装置を設けたものであり、マイナスイオンを発生させ、細菌が繁殖し難くなり、前記吸引ノズルを清潔に保つことができる手乾燥装置を供給できる。
【００３４】
また、風路内部にオゾン発生装置を設けたものであり、オゾンを発生させることにより細菌が繁殖し難くなり、前記風路内部を清潔に保つことができる手乾燥装置を供給できる。
【００３５】
また、風路内部にマイナスイオン発生装置を設けたものであり、マイナスイオンを発生させることにより細菌が繁殖し難くなり、前記風路内部を清潔に保つことができる手乾燥装置を供給できる。
【００３６】
また、風路内部に殺菌灯を設けたものであり、紫外線を照射することにより細菌が繁殖し難くなり、前記風路内部を清潔に保つことができる手乾燥装置を提供できる。
【発明を実施するための最良の形態】
【００３７】
本発明の請求項１記載の発明は、本体内部に設けた吸引手段と、前記吸引手段に接続した風路と、前記風路に接続した吸引ノズルと、前記吸引ノズル表面を包むロール状吸引口を有し、前記吸引手段を動作させ、前記吸引ノズルより手の表面に付着した水滴を吸引することにより、水滴の飛散を抑制することができる作用と、前記ロール状吸引口を使用後に回転させて未使用の面を出すことにより、人の手が触れる前記ロール状吸引口の表面を清潔に保つことできる作用を有する。
【００３８】
また、ロール状吸引口の表面に、撥水処理を施したものであり、前記ロール状吸引口に水分が付着しにくくなり、人の手が触れる前記ロール状吸引口の表面を、清潔に保つことができる作用を有する。
【００３９】
また、ロール状吸引口の表面に、親水処理を施したものであり、手に付着した水分を吸着し易くなり、効率的に乾燥させることができる作用を有する。
【００４０】
また、ロール状吸引口に、弾性材を使用したものであり、手が吸引ノズルに密着し、手に付着した水分を吸着し易くなり、効率的に乾燥させることができる作用を有する。
【００４１】
また、ロール状吸引口の表面に、抗菌処理を施したものであり、前記ロール状吸引口の表面に細菌が繁殖し難くなり、人の手が触れる前記ロール状吸引口の表面を清潔に保つことができる作用を有する。
【００４２】
また、吸引ノズル近傍にオゾン発生装置を設けたものであり、オゾンを発生させ、細菌が繁殖し難くなり、ロール状吸引口を清潔に保つことができる作用を有する。
【００４３】
また、吸引ノズル近傍にマイナスイオン発生装置を設けたものであり、マイナスイオンを発生させ、細菌が繁殖し難くなり、ロール状吸引口を清潔に保つことができる作用を有する。
【００４４】
また、風路内部にオゾン発生装置を設けたものであり、オゾンを発生させることにより細菌が繁殖し難くなり、前記風路内部を清潔に保つことができる作用を有する。
【００４５】
また、風路内部にマイナスイオン発生装置を設けたものであり、マイナスイオンを発生させることにより細菌が繁殖し難くなり、前記風路内部を清潔に保つことができる作用を有する。
【００４６】
また、風路内部に殺菌灯を設けたものであり、紫外線を照射することにより細菌が繁殖し難くなり、前記風路内部を清潔に保つことができる作用を有する。
【００４７】
（実施の形態１）
図１に示すように、手乾燥装置１は内部に吸引手段２、たとえば吸引ポンプと、前記吸引手段２に接続した風路３と、前記風路３に接続した吸引ノズル４と、前記吸引ノズル４の表面を包む吸引孔５を加工されロール形状をした、たとえば材質はポリエチレンシートであるロール状吸引口６、により構成される。貫通孔である多数の吸引孔５がロール状吸引口６に設けられている。吸引ポンプなどの吸引手段２が作動すると、ロール状吸引口６の吸引孔５を通って、吸引ノズル４により、水滴が吸引される。
【００４８】
上記構成において、吸引手段２を動作させ、ロール状吸引口６に設けられた吸引孔５を介して、吸引ノズル４より手の表面に付着した水滴を吸引することにより、手に付着した水滴が衣服や床へ飛散することを抑制できるとともに、ロール状吸引口６を使用後に回転させて未使用の面を出すことにより、人の手が触れる前記ロール状吸引口６の表面を清潔に保つことできる。
【００４９】
なお、本実施の形態１では、吸引ノズルが１個の手乾燥装置としているが、吸引ノズルを複数設け、手の両面より吸引する手乾燥装置においても同様の作用効果をもたらすことは言うまでもない。
【００５０】
（実施の形態２）
次に、本発明の実施の形態２について図面を参照しながら説明する。なお，実施の形態１と同一のものは同一番号を付し、その詳細な説明を省略する。
【００５１】
図２に示すように、手乾燥装置１は内部に吸引手段２と、前記吸引手段２に接続した風路３と、前記風路３に接続した吸引ノズル４と、前記吸引ノズル４表面を包む撥水処理、たとえばフッ素コーティングされたロール状吸引口６により構成される。
【００５２】
上記構成において、吸引手段２を動作させ、吸引ノズル４より手の表面に付着した水滴を吸引することにより、手に付着した水滴が衣服や床へ飛散することを抑制できるとともに、撥水処理によりロール状吸引口６に水分が付着しにくくなり、人の手が触れる前記ロール状吸引口６の表面を清潔に保つことできる。
【００５３】
なお、本実施の形態２では，吸引ノズルが１個の手乾燥装置としているが、吸引ノズルを複数設け、手の両面より吸引する手乾燥装置においても同様の作用効果をもたらすことは言うまでもない。
【００５４】
（実施の形態３）
次に、本発明の実施の形態３について図面を参照しながら説明する。なお、実施の形態１、２と同一のものは同一番号を付し、その詳細な説明を省略する。
【００５５】
図２に示すように、手乾燥装置１は内部に吸引手段２と、前記吸引手段２に接続した風路３と、前記風路３に接続した吸引ノズル４と、前記吸引ノズル４表面を包む親水処理、たとえば光触媒処理されたロール状吸引口６により構成される。
【００５６】
上記構成において、吸引手段２を動作させ、吸引ノズル４より手の表面に付着した水滴を吸引することにより、手に付着した水滴が衣服や床へ飛散することを抑制できるとともに、ロール状吸引口６の表面に、親水処理を施したものであり、手に付着した水分を吸着し易くなり、効率的に乾燥させることができる。
【００５７】
なお、本実施の形態３では、吸引ノズルが１個の手乾燥装置としているが、吸引ノズルを複数設け、手の両面より吸引する手乾燥装置においても同様の作用効果をもたらすことは言うまでもない。
【００５８】
（実施の形態４）
次に、本発明の実施の形態４について図面を参照しながら説明する。なお、実施の形態１、２、３と同一のものは同一番号を付し、その詳細な説明を省略する。
【００５９】
図２に示すように、手乾燥装置１は内部に吸引手段２と、前記吸引手段２に接続した風路３と、前記風路３に接続した吸引ノズル４と、前記吸引ノズル４表面を包む弾性材、たとえばゴムを使用したロール状吸引口６により構成される。
【００６０】
上記構成において、吸引手段２を動作させ、吸引ノズル４より手の表面に付着した水滴を吸引することにより、手に付着した水滴が衣服や床へ飛散することを抑制できるとともに、ロール状吸引口６に、弾性材を使用したものであり、手が吸引ノズルに密着し、手に付着した水分を吸着し易くなり、効率的に乾燥させることができる。
【００６１】
なお、本実施の形態４では、吸引ノズルが１個の手乾燥装置としているが、吸引ノズルを複数設け、手の両面より吸引する手乾燥装置においても同様の作用効果をもたらすことは言うまでもない。
【００６２】
（実施の形態５）
次に、本発明の実施の形態５について図面を参照しながら説明する。なお、実施の形態１、２、３、４と同一のものは同一番号を付し、その詳細な説明を省略する。
【００６３】
図２に示すように、手乾燥装置１は内部に吸引手段２と、前記吸引手段２に接続した風路３と、前記風路３に接続した吸引ノズル４と、前記吸引ノズル４表面を包む表面を抗菌処理、たとえば銀イオン処理されたロール状吸引口６により構成される。
【００６４】
上記構成において、吸引手段２を動作させ、吸引ノズル４より手の表面に付着した水滴を吸引することにより、手に付着した水滴が衣服や床へ飛散することを抑制できるとともに、ロール状吸引口６の表面に、抗菌処理を施したものであり、前記ロール状吸引口６の表面に細菌が繁殖し難くなり、人の手が触れる前記ロール状吸引口６の表面を清潔に保つことができる。
【００６５】
なお、本実施の形態５では、吸引ノズルが１個の手乾燥装置としているが、吸引ノズルを複数設け、手の両面より吸引する手乾燥装置においても同様の作用効果をもたらすことは言うまでもない。
【００６６】
（実施の形態６）
次に、本発明の実施の形態６について図面を参照しながら説明する。なお、実施の形態１、２、３、４、５と同一のものは同一番号を付し、その詳細な説明を省略する。
【００６７】
図３に示すように、手乾燥装置１は内部に吸引手段２と、前記吸引手段２に接続した風路３と、前記風路３に接続した吸引ノズル４と、前記吸引ノズル４表面を包むロール状吸引口６と、前記ロール状吸引口６の近傍に設置されたオゾン発生装置７により構成される。
【００６８】
上記構成において、オゾン発生装置７を動作させることにより発生したオゾンが、ロール状吸引口６での雑菌の繁殖を抑制し、前記ロール状吸引口６を清潔に保つことができる。
【００６９】
（実施の形態７）
次に、発明の実施の形態７について図面を参照しながら説明する。なお、施の形態１、２、３、４、５、６と同一のものは同一番号を付し、その詳細な説明を省略する。
【００７０】
図４に示すように、手乾燥装置１は内部に吸引手段２と、前記吸引手段２に接続した風路３と、前記風路３に接続した吸引ノズル４と、前記吸引ノズル４表面を包むロール状吸引口６と、前記ロール状吸引口６の近傍に設置されたマイナスイオン発生装置８により構成される。
【００７１】
上記構成において、マイナスイオン発生装置８を動作させることにより発生したマイナスイオンが、ロール状吸引口６での雑菌の繁殖を抑制し、前記ロール状吸引口６を清潔に保つことができる。
【００７２】
（実施の形態８）
次に、本発明の実施の形態８について図面を参照しながら説明する。なお、実施の形態１、２、３、４、５、６、７と同一のものは同一番号を付し、その詳細な説明を省略する。
【００７３】
図５に示すように、手乾燥装置１は内部に吸引手段２と、前記吸引手段２に接続した風路３と、前記風路３に接続した吸引ノズル４と、前記吸引ノズル４表面を包むロール状吸引口６と、前記風路３の内部に設置されたオゾン発生装置７により構成される。
【００７４】
上記構成において、オゾン発生装置７を動作させることにより発生したオゾンが、風路３内部での雑菌の繁殖を抑制し、前記風路３内部を清潔に保つことができる。
【００７５】
（実施の形態９）
次に、本発明の実施の形態９について図面を参照しながら説明する。なお、実施の形態１、２、３、４、５、６、７、８と同一のものは同一番号を付し、その詳細な説明を省略する。
【００７６】
図６に示すように、手乾燥装置１は内部に吸引手段２と、前記吸引手段２に接続した風路３と、前記風路３に接続した吸引ノズル４と、前記吸引ノズル４表面を包むロール状吸引口６と、前記風路３の内部に設置されたマイナスイオン発生装置８により構成される。
【００７７】
上記構成において、マイナスイオン発生装置８を動作させることにより発生したマイナスイオンが、風路３内部での雑菌の繁殖を抑制し、前記風路３内部を清潔に保つことができる。
【００７８】
（実施の形態１０）
次に、本発明の実施の形態１０について図面を参照しながら説明する。なお、実施の形態１、２、３、４、５、６、７、８、９と同一のものは同一番号を付し、その詳細な説明を省略する。
【００７９】
図７に示すように、手乾燥装置１は内部に吸引手段２と、前記吸引手段２に接続した風路３と、前記風路３に接続した吸引ノズル４と、前記吸引ノズル４表面を包むロール状吸引口６と、前記風路３の内部に設置された殺菌灯９により構成される。
【００８０】
上記構成において、殺菌灯９を点灯させることにより発生した紫外線が、風路３内部での雑菌の繁殖を抑制し、前記風路３内部を清潔に保つことができる。
【産業上の利用可能性】
【００８１】
水滴の飛散を防止した乾燥ができることにより、水洗いした後の乾燥手法において、水滴の飛散を防止した乾燥を行うことができる。
【図面の簡単な説明】
【００８２】
【図１】本発明の実施の形態１の手乾燥装置の構成を示す概略図（（ａ）全体構成図、（ｂ）吸込ノズル部分拡大図）
【図２】本発明の実施の形態２、３、４、５の手乾燥装置の構成を示す概略図
【図３】本発明の実施の形態６の手乾燥装置の構成を示す概略図
【図４】本発明の実施の形態７の手乾燥装置の構成を示す概略図
【図５】本発明の実施の形態８の手乾燥装置の構成を示す概略図
【図６】本発明の実施の形態９の手乾燥装置の構成を示す概略図
【図７】本発明の実施の形態１０の手乾燥装置の構成を示す概略図
【図８】従来の手乾燥装置の構成を示す概略図
【符号の説明】
【００８３】
１  手乾燥装置
２  吸引手段
３  風路
４  吸引ノズル
５  吸引孔
６  ロール状吸引口
７  オゾン発生装置
８  マイナスイオン発生装置
９  殺菌灯
【図１】
2007229355.tif 000003
【図２】
2007229355.tif 000004
【図３】
2007229355.tif 000005
【図４】
2007229355.tif 000006
【図５】
2007229355.tif 000007
【図６】
2007229355.tif 000008
【図７】
2007229355.tif 000009
【図８】
2007229355.tif 000010